(57)【特許請求の範囲】
【請求項１】
内視鏡の処置具挿通チャンネル内に挿脱自在な可撓性のシースと、
軸線方向に進退自在に上記シース内に挿通された操作ワイヤと、
上記シースの先端部分内に出し入れ自在に設けられて各先端がお互いに結束されると共に後端が上記操作ワイヤに連結されて上記シース外で全体としてループ状に膨らむように折り曲げられた複数の弾性ワイヤとを有する先端ループ型内視鏡用処置具において、
上記弾性ワイヤの上記先端結束部近傍に位置する第１の折り曲げ部と、上記弾性ワイヤがループ状に膨らんだときにそのループの外縁の前端部分に位置する第２の折り曲げ部と、上記ループの外縁の後端部分に位置する第３の折り曲げ部とが形成され、上記第１の折り曲げ部と上記第２の折り曲げ部との間が、上記第１の折り曲げ部寄りの半部は内方に凸の滑らかな円弧状曲線に形成されて、上記第２の折り曲げ部寄りの半部は外方に凸の滑らかな円弧状曲線に形成されると共に、
上記第１の折り曲げ部寄りの半部と上記第２の折り曲げ部寄りの半部との境界部分が、折れ曲がりと直線部分のない状態に滑らかに繋がっていることを特徴とする先端ループ型内視鏡用処置具。
【請求項２】
上記弾性ワイヤには、ループ状に膨らんだときにそのループの外縁の後端部分に位置する第３の折り曲げ部が形成されていて、上記第２の折り曲げ部と上記第３の折り曲げ部との間の部分が内方に凸の曲線状に形成されている請求項１記載の先端ループ型内視鏡用処置具。
【請求項３】
上記先端ループ型内視鏡用処置具が高周波スネアであり、上記弾性ワイヤが１８０°対称に２本設けられている請求項１又は２記載の先端ループ型内視鏡用処置具。
【請求項４】
上記先端ループ型内視鏡用処置具がバスケット型把持具であり、上記弾性ワイヤが３本以上設けられている請求項１又は２記載の先端ループ型内視鏡用処置具。
【発明の詳細な説明】
【０００１】
【発明の属する技術分野】
この発明は、高周波スネアやバスケット型把持具等のような先端ループ型内視鏡用処置具に関する。
【０００２】
【従来の技術】
先端ループ型内視鏡用処置具は一般に、先端がお互いに結束されてシース外で全体としてループ状に膨らむように折り曲げられた複数の弾性ワイヤの後端を、軸線方向に進退自在にシース内に挿通された操作ワイヤに連結して、弾性ワイヤがシースの先端内に出入りすることによって膨縮するようになっている。
【０００３】
図６は、そのような従来の先端ループ型内視鏡用処置具を示しており、１は可撓性チューブからなるシース、２は操作ワイヤ、１０は弾性ワイヤであり、２０は、弾性ワイヤ１０の先端を結束する結束管である。
【０００４】
弾性ワイヤ１０は、自己の弾性によってシース１外でループ状に膨らむように、複数の折り曲げ部１１〜１５において折り曲げられているが、シース１内に引き込まれて窄まったときに各折り曲げ部１１〜１５が折り曲げ状態に比べて急激に延ばされた状態になると、その部分が塑性変形を起こして膨らみ形状がくずれ、十分な膨らみ量が得られなくなってしまう。
【０００５】
そこで、結束管２０の近傍に形成された最先端の折り曲げ部１１と、弾性ワイヤ１０がループ状に膨らんだときにそのループの外縁の前端部分に位置する折り曲げ部１４との間に、短い間隔で複数の折り曲げ部１２，１３が形成されている（実開平２−１４９２１１号）。
【０００６】
【発明が解決しようとする課題】
しかし、上述のような従来の先端ループ型内視鏡用処置具は、複数の各弾性ワイヤ１０に多数の折り曲げ部１１〜１４を短い間隔で形成しなければならないので、各弾性ワイヤ１０についてそれを均一に行うことは非常に困難であり、弾性ワイヤ１０が膨らんだときの形状に歪みが出て、目的物を弾性ワイヤの内部に容易に捕獲することができない場合がある。
【０００７】
また、ループの先端部分より先に突出する部分の長さＬ′が長くなってしまうので、狭い管腔臓器内などではその部分が臓器の壁面にぶつかって、目的物を弾性ワイヤの内部に容易に捕獲することができない場合がある。
【０００８】
そこで本発明は、弾性ワイヤを対称の形状に膨らむように形成するのが容易であって、ループの先端部分より先に突出する部分の長さを短くして目的物を容易に捕獲することができ、しかも弾性ワイヤの膨らみ時の形状を変形せずに維持することができる先端ループ型内視鏡用処置具を提供することを目的とする。
【０００９】
【課題を解決するための手段】
上記の目的を達成するため、本発明の先端ループ型内視鏡用処置具は、内視鏡の処置具挿通チャンネル内に挿脱自在な可撓性のシースと、軸線方向に進退自在に上記シース内に挿通された操作ワイヤと、上記シースの先端部分内に出し入れ自在に設けられて各先端がお互いに結束されると共に後端が上記操作ワイヤに連結されて上記シース外で全体としてループ状に膨らむように折り曲げられた複数の弾性ワイヤとを有する先端ループ型内視鏡用処置具において、上記弾性ワイヤの上記先端結束部近傍に形成された第１の折り曲げ部と、上記弾性ワイヤがループ状に膨らんだときにそのループの外縁の前端部分に位置する第２の折り曲げ部との間を、上記第１の折り曲げ部寄りの部分は内方に凸で上記第２の折り曲げ部寄りの部分は外方に凸の滑らかな曲線状に形成したことを特徴とする。
【００１０】
なお、上記弾性ワイヤには、ループ状に膨らんだときにそのループの外縁の後端部分に位置する第３の折り曲げ部が形成されていてもよい。
そして、上記先端ループ型内視鏡用処置具が高周波スネアであり、上記弾性ワイヤが１８０°対称に２本設けられていてもよく、上記先端ループ型内視鏡用処置具がバスケット型把持具であり、上記弾性ワイヤが３本以上設けられていてもよい。
【００１１】
【発明の実態の形態】
図面を参照して本発明の実施の形態を説明する。
図１は、本発明が適用された内視鏡用高周波スネアの先端部分を示している。１は、例えば四フッ化エチレン樹脂チューブからなる可撓性のチューブであり、金属撚り線からなる操作ワイヤ２が軸線方向に進退自在に挿通されている。シース１の基端部には、操作ワイヤ２を進退操作するための操作部（図示せず）が連結されている。
【００１２】
操作ワイヤ２の先端には、シース１の先端から突出した位置で全体としてループ状に膨らむ複数（この場合２本）の弾性ワイヤ１０の基端が、連結管３を介して連結されている。
【００１３】
各弾性ワイヤ１０としては、例えばステンレス鋼線の単線又は撚り線が用いられている。そして、各弾性ワイヤ１０の先端が一つの結束管２０に差し込まれ、そこにロー付け等によって固着されて一つに結束されている。
【００１４】
各弾性ワイヤ１０は、各々第１、第２及び第３の折り曲げ部において折り曲げられて、外力が作用しない状態において全体としてループ状に膨らむ形状に形成されている。
【００１５】
そのうち、第１の折り曲げ部１１は結束管２０の近傍において外方に向かって折り曲げられ、第２の折り曲げ部１２はループ状に膨らんだ弾性ワイヤ１０のループの外縁（最も広がった部分）の前端部分に位置し、第３の折り曲げ部１３は弾性ワイヤ１０のループの外縁の後端部分に位置している。
【００１６】
そして弾性ワイヤ１０は、図５に拡大して示されるように、第１の折り曲げ部１１と第２の折り曲げ部１２との間の部分の第１の折り曲げ部１１寄りの半部Ａでは内方に凸の滑らかな円弧状曲線に形成され、第２の折り曲げ部１２寄りの半部Ｂでは外方に凸の滑らかな円弧状曲線に形成されていて、両半部の境界部分は折れ曲がることなく滑らかに繋がっている。
【００１７】
このように構成された先端ループ型内視鏡用処置具は、図１に示されるように、弾性ワイヤ１０がシース１の先端から押し出された状態では自己の弾性によってループ状に膨らんでおり、図示されていない操作部側から操作ワイヤ２を牽引することにより、図２ないし図４に示されるように、弾性ワイヤ１０がシース１の先端部分内に次第に引き込まれて窄まった状態になる。そしてシース１内では、折り曲げ部１１，１２，１３は真っ直ぐに延ばされる方向に曲げ戻された状態になる。
【００１８】
図５は、弾性ワイヤ１０の先側の部分を拡大して示しており、第１の折り曲げ部１１における弾性ワイヤ１０の曲げ角度θは、第１の折り曲げ部１１と第２の折り曲げ部１２とを直線的に繋いだ場合の曲げ角度θ′より大幅に小さい。第２の折り曲げ部１２部分についても同様である。
【００１９】
したがって、弾性ワイヤ１０がシース１内に引き込まれた時に各折り曲げ部１１，１２，１３における曲げ戻しの角度が小さいので、シース１への出し入れによる弾性ワイヤ１０の塑性変形が小さく、繰り返し使用した後でも、シース１から突き出した時に元のループ形状を保つことができる。
【００２０】
また、第１の折り曲げ部１１と第２の折り曲げ部１２との間に折り曲げ部を全く形成する必要がないことから、製造時にはループ形状を対称形に容易に正確に形成することができ、使用時に目的物をループ内に容易に捕らえることができる。
【００２１】
また、図１に示されるように、弾性ワイヤ１０のループの先端部分より先に突出する部分の長さＬを短くすることができるので、曲がりくねった狭い管腔臓器内等においても目的物をループ内に容易に捕らえることができる。
【００２２】
なお、本発明は上記の実施の形態に限定されるものではなく、例えば弾性ワイヤ１０を３本以上配置してループ形成時にはかご状に膨らんで異物等を捕獲回収するためのいわゆるバスケット型把持具等に本発明を適用してもよい。
【００２３】
【発明の効果】
本発明によれば、弾性ワイヤの先端結束部近傍に形成された第１の折り曲げ部と、弾性ワイヤがループ状に膨らんだときにそのループの外縁の前端部分に位置する第２の折り曲げ部との間を、第１の折り曲げ部寄りの部分は内方に凸で第２の折り曲げ部寄りの部分は外方に凸の滑らかな曲線状に形成したことにより、製造時には、弾性ワイヤを対称形状に膨らむように容易に形成することができ、ループの先端部分より先に突出する部分の長さを短くすることができるので、使用時には目的物を容易に捕獲することができ、しかも弾性ワイヤが窄められたときに折り曲げ部の変形量が小さいので、繰り返し使用した後でも当初のループ形状を維持することができる。
【図面の簡単な説明】
【図１】本発明の実施の形態の弾性ワイヤがループ状に膨らんだ状態の先端ループ型内視鏡用処置具の先端部分の側面断面図である。
【図２】本発明の実施の形態の弾性ワイヤがシース内に少し引き込まれた状態の先端ループ型内視鏡用処置具の先端部分の側面断面図である。
【図３】本発明の実施の形態の弾性ワイヤがシース内に半分程度引き込まれた状態の先端ループ型内視鏡用処置具の先端部分の側面断面図である。
【図４】本発明の実施の形態の弾性ワイヤがシース内に完全に引き込まれた状態の先端ループ型内視鏡用処置具の先端部分の側面断面図である。
【図５】本発明の実施の形態の弾性ワイヤがループ状に膨らんだ状態の先端ループ型内視鏡用処置具の先端部分の拡大部分側面図である。
【図６】従来の先端ループ型内視鏡用処置具の先端部分の側面断面図である。
【符号の説明】
１  シース
２  操作ワイヤ
１０  弾性ワイヤ
１１  第１の折り曲げ部
１２  第２の折り曲げ部
【図１】
0003983856.tif 000002
【図２】
0003983856.tif 000003
【図３】
0003983856.tif 000004
【図４】
0003983856.tif 000005
【図５】
0003983856.tif 000006
【図６】
0003983856.tif 000007